(57)【要約】【課題】５層の重ね着構造にさらに重ね着させて、外側２層のウェア機能を補完することができる重ね着用の衣服を提供することを目的とする。【解決手段】５層の重ね着構造にさらに重ね着するための衣服であって、前記５層の重ね着構造の内の最外層であるアウターウェア５と、当該アウターウェア５の直ぐ内側に着衣される第１補完ウェア１０を有し、６層の重ね着構造を特徴とする。さらに、前記アウターウェア５の直ぐ外側に着衣される第２補完ウェア２０を有し、７層の重ね着構造を特徴とする。【選択図】図１
2013142213.tif 000002
【特許請求の範囲】
【請求項１】
５層の重ね着構造にさらに重ね着するための衣服であって、
前記５層の重ね着構造の内の最外層であるアウターウェアの直ぐ内側に着衣される第１補完ウェアおよび／または前記アウターウェアの直ぐ外側に着衣される第２補完ウェアを有し、７層の重ね着構造および／または６層の重ね着構造を特徴とする重ね着用の衣服。
【請求項２】
前記５層の重ね着構造が、肌側の第１内層ウェアと、当該第１内層ウェアの上に重ね着される第２内層ウェアと、当該第２内層ウェアの上に重ね着される第３内層ウェアと、当該第３内層ウェアの上に重ね着される第４内層ウェアと、当該第１補完ウェアの上に重ね着されるアウターウェアとで構成されている請求項１に記載の重ね着用の衣服。
【請求項３】
肌側の第１内層ウェアと、当該第１内層ウェアの上に重ね着される第２内層ウェアと、当該第２内層ウェアの上に重ね着される第３内層ウェアと、当該第３内層ウェアの上に重ね着される第４内層ウェアと、当該第４内層ウェアの上側に重ね着されるアウターウェアとで構成されている５層の重ね着構造において、
前記第４内層ウェアの上に重ね着され、かつ前記アウターウェアの直ぐ内側に着衣される第１補完ウェアおよび／または前記アウターウェアの直ぐ外側に着衣される第２補完ウェアを有し、７層の重ね着構造および／または６層の重ね着構造を特徴とする重ね着用衣服群。
【発明の詳細な説明】
【技術分野】
【０００１】
本発明は、５層の重ね着構造にさらに重ね着するための衣服に関する。より詳細には、例えば、高山などの極めて低温度の過酷環境における登山、極地探検の作業などの活動に用いられる重ね着用の衣服に関する。
【背景技術】
【０００２】
従来から、レイヤリング（重ね着すること）は、アウトドアスポーツにおいてよく用いられている。レイヤリングの多くの事例として、３層の重ね着構造が、運動性維持、重ね着構造の厚み・重量の点から一般的であり、かつ多くのアウトドアメーカーから販売されている。例えば、肌側のベースウェア、中間着のミドルウェア（厚手の中綿保温ウェア）、最外層のアウターウェア（厚手の防水ウェア）の３層の重ね着構造である。そして、使用者によっては、ベースウェアあるいはミドルウェアを２枚重複して着ている場合や、ミドルウェアの上に、例えば、羽毛、合成繊維若しくは天然繊維の中綿式、またはパイル、起毛などの厚手の生地のベストやジャケットをさらに着込む場合もある。しかし、従来の３層の重ね着構造（あるいは４層の重ね着構造）では、さらなる過酷環境下において運動性能や体温維持機能を維持させることが十分ではなく、特に雪山で遭難した場合や長時間動けない状況下ではより深刻であると推測される。さらに、３層構造の場合、外気との激しい温度差によってアウターウェア内部に発生した結露や汗で中綿保温ウェアが濡れてしまい、保温性を著しく低下させていた。そして、一度濡れた中綿保温ウェアは、乾きも悪く、濡れたまま却って寒くなるという問題があった。そこで、本発明者は５層の重ね着構造を提案している。５層（枚）の重ね着とすることで、内側に二重窓のような構造となって結露を大幅に抑制させることがきると考えられる。
【０００３】
ところで、魚釣りのアウトドアレジャーにおける重ね着システムが知られている（特許文献１）。この重ね着システムでは、インナーウェアとミドルウェアとアウターウェア（チョッキタイプと長袖のタイプ）を重ね着することを記載している。
【先行技術文献】
【特許文献】
【０００４】
【特許文献１】特開２００２−３０５０３号公報
【発明の概要】
【発明が解決しようとする課題】
【０００５】
しかしながら、極地や高山などの極めて低温度の過酷環境下では５層の重ね着構造でも完全ではない場合が推測される。例えば、−１０℃を下まわるような低温度環境や、吹雪、強風下で著しく体温を奪われるような場合には、５層の重ね着では不十分であると推測される。また、５層の重ね着構造を構成する各層は、それぞれ機能があり、外側２層では、防水、耐水、透湿、保温、結露抑制等の機能があり、内層３層では、耐久撥水、吸汗拡散・蒸散、保温等の機能がある。そして特に外側２層の機能を補完させたい場合が想定される。一方で、５層を超える重ね着をすることで運動性の低下が問題になる。重ね着の枚数に比例して、総重量や厚みも増加し、運動性能は低下していく。
【０００６】
本発明は、上記問題に鑑みてなされたものであって、運動性能を低下させることなく、５層の重ね着構造にさらに重ね着させて、外側２層のウェア機能を補完することができる重ね着用の衣服を提供することを目的とする。
【課題を解決するための手段】
【０００７】
上記課題を解決するための本発明は、５層の重ね着構造にさらに重ね着するための衣服であって、
前記５層の重ね着構造の内の最外層であるアウターウェアの直ぐ内側に着衣される第１補完ウェアおよび／または前記アウターウェアの直ぐ外側に着衣される第２補完ウェアを有し、７層の重ね着構造および／または６層の重ね着構造を特徴とする。
【０００８】
この構成によれば、５層の重ね着構造において、４層目と５層目のウェアの間に補完ウェアをさらに重ね着させることで、５層（枚）構造の重ね着の利点（例えば、結露防止性能）を低下させることなく、さらに保温性を強化されることができる。例えば、４層目のウェア機能（例えば耐水性、保温性、防風性、結露防止性）を補完させることができる。
【０００９】
上記の第１補完ウェアとして、例えば、羽毛、合成繊維若しくは天然繊維の中綿式の構造、または、重ね着時の圧力でも立体を保持する空気室（または空気層）を備えた構造、パイル、起毛などの厚手の生地が挙げられる。本発明によれば、保温性の優れた構造の補完ウェアを重ね着していても、結露や汗による濡れを大幅に抑制できるため、結露防止性を維持させつつ、保温性を強化できる。
【００１０】
また、５層の重ね着構造において、５層目のウェアの外に補完ウェアをさらに重ね着させることで、５層目のウェア機能（例えば防水性、保温性、防風性）を補完させることができる。アウターウェアを２重に重ね着していることになるため、２重のアウターウェア間におけるバリア性（防水性）を強化でき、かつ上記機能（結露防止性）をも向上させることができる。
【００１１】
また、５層の重ね着構造において、上記第１補完ウェアおよび第２補完ウェアをさらに重ね着させることで、５層（枚）構造の重ね着の利点（例えば、結露防止性能）を低下させることなく、さらに保温性を強化されることができ、かつ、バリア性（防水性）を強化できる。
【００１２】
また、上記発明の一実施形態として、第１補完ウェアおよび／または第２補完ウェアは、ストレッチ性を有する生地構造がある。これによって運動性の低下を効果的に防止できる。
【００１３】
また、上記発明において、前記５層の重ね着構造が、肌側の第１内層ウェアと、当該第１内層ウェアの上に重ね着される第２内層ウェアと、当該第２内層ウェアの上に重ね着される第３内層ウェアと、当該第３内層ウェアの上に重ね着される第４内層ウェアと、当該第１補完ウェアの上に重ね着されるアウターウェアとで構成されている。
【００１４】
また、上記発明の一実施形態において、肌から発生した汗を第１内層ウェアで素早く透過させ（耐久撥水性のため汗や雨の濡れ戻りを防止）、汗が第２内層ウェアで吸汗され拡散し、さらに、第３内層ウェアの吸汗蒸散性で気化する。気化した汗は、第４内層ウェアおよび第１補完ウェア、アウターウェア（および第２補完ウェア）で透湿されて外部へ放出される。例えば、肌面に直接触れる第１内層ウェアを撥水性生地で構成し、この上に着衣される第２内層ウェアと第３内層ウェアとを保温性、吸汗拡散性、調湿性等の生地で構成することができる。
【００１５】
また、他の発明は、重ね着用衣服群であって、肌側の第１内層ウェアと、当該第１内層ウェアの上に重ね着される第２内層ウェアと、当該第２内層ウェアの上に重ね着される第３内層ウェアと、当該第３内層ウェアの上に重ね着される第４内層ウェアと、当該第４内層ウェアの上側に重ね着されるアウターウェアとで構成されている５層の重ね着構造において、
前記第４内層ウェアの上に重ね着され、かつ前記アウターウェアの直ぐ内側に着衣される第１補完ウェアおよび／または前記アウターウェアの直ぐ外側に着衣される第２補完ウェアを有し、７層の重ね着構造および／または６層の重ね着構造を特徴とする。
【図面の簡単な説明】
【００１６】
【図１】実施形態１の６層の重ね着構造について説明するための図である。
【図２】実施形態２の７層の重ね着構造について説明するための図である。
【図３】実施形態３の６層の重ね着構造について説明するための図である。
【発明を実施するための形態】
【００１７】
（実施形態１：６層の重ね着構造）
図１に６層の重ね着構造を示す。第１内層ウェア１は、肌に直接着衣される。第１内層ウェア１は、撥水性を有し、汗を素早く通過させ、かつ濡れ戻りを防止する。第１内層ウェア１は、例えば、撥水加工されたポリエステル生地である。
【００１８】
図１の符号Ａは汗の移動であり、汗が第１内層ウェア１からアウターウェア５まで順に通過（透湿性能）していくことを示す。符号Ｂは濡れ戻り（汗あるいは雨）を防止（防水性能）していることを示す。
【００１９】
第２内層ウェア２は、第１内層ウェア１の上に着衣される。第２内層ウェア２は、保温性、吸汗拡散性および調湿性を有し、第１内層ウェア１からの汗を吸汗し、拡散する。第２内層ウェア２は、例えば、ポリエステルなどの合成繊維やウール、絹、綿などの天然繊維若しくはこれらの混紡でできた生地である。図１の符号Ｃは、吸汗拡散性、蒸散性を示す。
【００２０】
第３内層ウェア３は、第２内層ウェア２の上に着衣される。第３内層ウェア３は、保温性および吸汗拡散性、蒸散性を有し、汗を気化させる。第３内層ウェア３は、例えば、例えば、ポリエステルなどの合成繊維やウール、絹、綿などの天然繊維若しくはこれらの混紡でできた生地である。図１の符号Ｃは、吸汗拡散性、蒸散性を示す。
【００２１】
第４内層ウェア４は、第３内層ウェア３の上に着衣される。第４内層ウェア４は、防風性、保温性および防水透湿性を有し、気化した汗を外部へ透湿（透過）させる。第４内層ウェア４は、例えばナイロン（またはポリエステル）、フッ素皮膜またはポリウレタン皮膜、ナイロン（またはポリエステル）の３層構造である。
【００２２】
アウターウェア５は、後述する第１補完ウェア１０の上に着衣される。アウターウェア５は、防寒性、防風性、防水透湿性、耐雨性を有し、気化した汗を外部へ透湿（透過）させる。アウターウェア５は、例えば、ストレッチ性のナイロン（またはポリエステル）、フッ素皮膜またはポリウレタン皮膜、ナイロン（またはポリエステル）の３層構造である。なお、各ウェアは、上記機能を有するものに制限されず、使用目的に応じて機能を省略、別機能を追加可能である。
【００２３】
第１補完ウェア１０は、第４内層ウェア４の上に、かつアウターウェア５の下に着衣される。第１補完ウェア１０は、防風性、保温性、透湿性および疎水性を有する。これによって、５層（枚）構造の重ね着の利点（例えば、結露防止性能）を低下させることなく、さらに保温性を強化している。第１補完ウェア１０は、例えば、羽毛、合成繊維若しくは天然繊維の中綿式の構造、または、重ね着時の圧力でも立体を保持する空気室（または空気層）を備えた構造、パイル、起毛などの厚手の生地である。第１補完ウェア１０の全重量は軽量であることが好ましく、その場合運動性能を着用時実質的に低下させるのを抑える。
【００２４】
（実施形態２：７層の重ね着構造）
図２に７層の重ね着構造を示す。実施形態１（図１）と異なるのは、第２補完ウェア２０が重ね着されている点にある。
【００２５】
第２補完ウェア２０は、アウターウェア５の上に着衣される。第２補完ウェア２０は、防寒性、防風性、防水透湿性、耐雨性を有する。これによって、２重のアウターウェアによってバリア性（防水性）を強化すると共に、結露止性能を低下させず、さらに保温性も強化される。第２補完ウェア２０は、想定外の極寒状態においては保温性を更に向上させるため、第１補完ウェアと同様の中綿式構造や、パイル、起毛などの空気層を備えた構造の生地を有する構成でもよい。また、第２補完ウェア２０は、例えば、ナイロン（またはポリエステル）、フッ素皮膜またはポリウレタン皮膜、ナイロン（またはポリエステル）の３層構造を有する構成でもよい。また、第２補完ウェア２０は、上記３層構造と、上記中綿式構造および／または空気層を備えた構造とを共に有する構成でもよい。第２補完ウェア２０は、通常軽量かつストレッチ性を有することが好ましく、７層に重ね着しても実質的に運動性能を低下させるのを抑える。
【００２６】
（実施形態３：６層の重ね着構造）
図３に、実施形態３の６層の重ね着構造を示す。実施形態１（図１）と異なるのは、第１補完ウェア１０を重ね着せずに、第２補完ウェア２０を重ね着する点にある。
【００２７】
第２補完ウェア２０は、アウターウェア５の上に着衣される。第２補完ウェア２０は、防寒性、防風性、防水透湿性、耐雨性を有する。これによって、２重のアウターウェア間におけるバリア性（防水性）を強化でき、かつ結露防止性をも向上させることができる。
【００２８】
（別実施形態）
各ウェアは、上半身用の衣服に限定されず、下半身用の衣服でもよい。下半身用の場合、例えば、アウターウェアとして防寒性、防風性、防水性等を有するズボンや、内層ウェアとして、例えば、タイツ、レギンス、ハーフパンツ等が挙げられる。
【００２９】
また、衣服を構成する各ウェアの糸材料、縫製方法は特に制限されず、また、各種加工処理（例えば、撥水加工、ＵＶカット加工等）も適宜施されていてもよい。
【００３０】
また、体温調整を素早く効果的に行えるように、第３内層ウェア３、第４内層ウェア４、アウターウェア５、第１補完ウェア１０、第２補完ウェア２０のそれぞれに、ベント機能を有する開閉自在の開口部を備えることが好ましい。各ウェアにおける開口部は、重ね着された厚み方向（断面方向）で対応した位置に設けられ、着用時には上下のウェア層と同位置（実質的同位置）にあることとし、例えば、各開口部が脇部に設けられていてもよい。
【符号の説明】
【００３１】
１              第１内層ウェア
２              第２内層ウェア
３              第３内層ウェア
４              第４内層ウェア
５              第５内層ウェア
１０            第１補完ウェア
２０            第２補完ウェア
【図１】
2013142213.tif 000003
【図２】
2013142213.tif 000004
【図３】
2013142213.tif 000005